(57)【要約】【課題】くさび部材を引き抜くような力が働いた場合でもくさび片が緩んだり抜けていくようなことがない足場用筋交を提供すること。【解決手段】同足場用筋交の両端に装着された連結具１０を同足場側の連結枠に係合することで足場に対し同足場用筋交を連結し、くさび辺２５を打ち込んでこの連結具１０を連結枠に固定するようにした足場用筋交であって、同連結具１０は、少なくとも連結具本体１１と、連結枠に挿入される連結ピン１３と、くさび辺２５を前記連結枠方向に移動させる同連結具本体１１に形成されたガイドピン２３とを有するとともに同連結具は、同くさび辺２５に回動可能に係合されたロック部材３４を備え、同ロック部材３４は同連結具が前記足場側に固定された状態で同くさび辺２５に上方への引き抜き力が加わった場合に前記連結枠の一部と係合して同くさび辺２５の上動を阻止する張り出し部３８を備えている。【選択図】      図１
2005248506.tif 000002
【特許請求の範囲】
【請求項１】
枠体から構成された足場を補強するための足場用筋交であって、同足場用筋交の両端に装着された連結具を同足場側の連結枠に係合することで足場に対し同足場用筋交を連結し、くさび部材を打ち込んでこの連結具を連結枠に固定するようにした足場用筋交において、
同連結具は、少なくとも連結具本体と、同本体に固着されて前記連結枠に挿入される挿入片と、打ち込まれた前記くさび部材に当接して同くさび部材を前記連結枠方向に移動させる同連結具本体に形成されたガイド部とを有し、
同連結具が前記足場側に固定された状態では、少なくとも前記ガイド部と同くさび部材と前記連結枠とが重複状態に配置されるとともに、
同連結具は、同くさび部材に回動可能に係合されたロック部材を備え、同ロック部材は同連結具が前記足場側に固定された状態で同くさび部材に上方への引き抜き力が加わった場合に前記連結枠の一部と係合して同くさび部材の上動を阻止するロック部を備えていることを特徴とする足場用筋交。
【請求項２】
前記連結具本体には挿通孔が形成され、前記くさび部材は同連結具本体に形成された挿通孔に脱落不能に遊嵌されていることを特徴とする請求項１に記載された足場用筋交。
【請求項３】
前記連結具本体は前記くさび部材が保持される保持部材を備えていることを特徴とする請求項１又は請求項２に記載された足場用筋交。
【請求項４】
前記ロック部材は前記足場側に固定された状態で同ロック部材の一部が前記連結具本体及び前記挿入片よりも突出した状態となるように構成されていることを特徴とする請求項１〜請求項３のいずれかに記載された足場用筋交。
【請求項５】
前記ロック部材の回動基点は、同ロック部材の重心の位置より前記連結枠側から離間した位置に配設されていることを特徴とする請求項１〜請求項４に記載された足場用筋交。
【請求項６】
前記連結具本体は、前記足場側に固定された状態では、前記ロック部材に当接して同ロック部材の回動を規制するとともに、前記くさび部材を前記連結枠方向に移動させる第２のガイド部を備えていることを特徴とする請求項１〜請求項５に記載された足場用筋交。
【発明の詳細な説明】
【技術分野】
【０００１】
本発明は、枠体から構成された足場を補強するための足場用筋交を同足場にセットする連結具及びそのような連結具を装着した足場用筋交に関するものである。
【背景技術】
【０００２】
従来から、建築足場等ではパイプ材を枠状にくみ上げて作業用の足場が組まれている。このような足場は横あるいは斜め方向の荷重に耐え得るように筋交が設けられている（例えば特許文献１）。
【特許文献１】特開平１１−２２１８６号公報
【０００３】
以下、特許文献１の要点を説明する。図９に示すように、この従来の筋交５１では筋交５１の両端に固着された連結具５２を支柱５３側に形成された連結枠５４に対して連結することで筋交５１を装着するようにしている。より詳しくこの従来の連結手段を説明する。図１０に示すように、連結具５２は、連結ピン５５とくさび片５６を有している。まずくさび片５６をテーブル５７の上に載置する。そして、連結ピン５５を連結枠５４に挿入する。この状態では連結具５２は連結枠５４に固定されておらず、仮止めの状態である。次いで、くさび片５６をテーブル５７の上から降ろすと同くさび片５６は自重で落下するとともに、先細りとなるように形成されたくさび片５６の傾斜面５６ａと当接板５８との当接によって連結枠５４方向に移動していく。そして、くさび片５６は図１１の位置に配置される。
【０００４】
次いで、くさび片５６をハンマー等で打ち込む。当接板５８からの反力が傾斜面５６ａからくさび片５６に加わり、さらにくさび片５６と連結枠５４の側板５４ａとの接触面Ｓに反力に基づく押圧力が加わる。その結果、くさび片５６がしっかりと側板５４ａ（連結枠５４）に密着して緩むことはない。次に今とは逆に、足場から足場用筋交５１を取り外す場合には、まずハンマー等でくさび片５６の下端部を叩き、これを緩めてくさび片５６を一旦テーブルの上に載置する。そして、足場用筋交５１を持って連結ピン１３を連結枠５４から抜くようにする。
【発明の開示】
【発明が解決しようとする課題】
【０００５】
ここで、上記従来の連結具５２では、くさび片５６がしっかりと側板５４ａ（連結枠５４）に密着して緩むことはないため、通常の作業においては問題はない。
しかしながら、仮に強風や振動等により建築足場が歪んでしまいくさび片５６を上方側へ引き抜くような力が働いた場合、くさび片５６は先細りとなるように形成されていることから、この上方へ引き抜くような力によって、押圧力により密着していたくさび片５６が当接板５８と連結枠５４の側板５４ａとの接触面Ｓから徐々に離間し、くさび片５６が緩んだり抜けていくようなことも考えられる。
【０００６】
本発明は、このような従来の技術に存在する問題点に着目してなされたものである。その目的とするところは、くさび部材を引き抜くような力が働いた場合でもくさび片が緩んだり抜けていくようなことがない足場用筋交を提供することにある。
【課題を解決するための手段】
【０００７】
そのため請求項１に記載の発明では、枠体から構成された足場を補強するための足場用筋交であって、同足場用筋交の両端に装着された連結具を同足場側の連結枠に係合することで足場に対し同足場用筋交を連結し、くさび部材を打ち込んでこの連結具を連結枠に固定するようにした足場用筋交において、同連結具は、少なくとも連結具本体と、同本体に固着されて前記連結枠に挿入される挿入片と、打ち込まれた前記くさび部材に当接して同くさび部材を前記連結枠方向に移動させる同連結具本体に形成されたガイド部とを有し、同連結具が前記足場側に固定された状態では、少なくとも前記ガイド部と同くさび部材と前記連結枠とが重複状態に配置されるとともに、同連結具は、同くさび部材に回動可能に係合されたロック部材を備え、同ロック部材は同連結具が前記足場側に固定された状態で同くさび部材に上方への引き抜き力が加わった場合に前記連結枠の一部と係合して同くさび部材の上動を阻止するロック部を備えていることを要旨とする。
このような構成では、まず連結枠に挿入片を挿入した後、くさび部材をハンマー等で打ち込む。打ち込まれたくさび部材は連結具本体に形成されたガイド部に当接して連結枠方向に移動させられ、挿入片と協働して連結枠を挟み込む。この時、ガイド部とくさび部材と連結枠とが重複した位置関係にあるためくさび部材はガイド部からの反力を均等に連結枠に伝達されることとなる。その結果、くさび部材がしっかりと連結枠に密着して緩むことがなく固定されることとなる。
さらに、くさび部材に回動可能に係合されたロック部材が、連結枠の一部に係合するようなロック部を備えたことによって、連結具が足場側に固定されている状態において足場が歪んでくさび部材が抜けようとする力が加わった場合には、ロック部が連結枠の一部に係合してくさび部材の上動が阻止されることとなる。これによって、ロック部材が抜け止めの役割を果たしていることとなり、くさび部材が簡単に抜けることがない。
【０００８】
また、請求項２の発明では、請求項１の発明の構成に加え、前記連結具本体には挿通孔が形成され、前記くさび部材は同連結具本体に形成された挿通孔に脱落不能に遊嵌されていることを要旨とする。このように構成することで、請求項２の発明の作用に加え、くさび部材は挿通孔から抜け落ちることなく且つ遊嵌されていることによって、連結具を固定するためのくさびとしても機能する。
また、請求項３の発明では、請求項１又は２の発明の構成に加え、前記連結具本体は前記くさび部材が保持される保持部材を備えていることを要旨とする。これによって、連結具を連結枠に固定する場合には、くさび部材を保持部に保持させて、その保持状態で挿入片を連結枠に挿入して連結枠を仮止めする。
【０００９】
また、請求項４の発明では、請求項１〜３のいずれかの発明の構成に加え、前記ロック部材は前記足場側に固定された状態で同ロック部材の一部が前記連結具本体及び前記挿入片よりも突出した状態となるように構成されていることを要旨とする。これによって、足場から足場用筋交を取り外す場合にハンマー等で叩く際の叩きしろを十分にとることができる。
さらに、請求項５の発明では、請求項１〜４のいずれかの発明の構成に加え、前記ロック部材の回動基点は、同ロック部材の重心の位置より前記連結枠側から離間した位置に配設されていることを要旨とする。これによって、足場から足場用筋交を取り外す場合のくさび片を抜く際には、ハンマー等で叩かれることによってロック部材の回動が付勢されるとともに、この回動基点と重心とのずれによってロック部材が連結枠から離間する方向へ傾くこととなり、ロック部材の当接部が連結枠に引っ掛かることはない。したがって、くさび部材及びロック部材を連結枠から離間するように上方へ引き上げることとなる。
【００１０】
また、請求項６の発明では、請求項１〜５のいずれかの発明の構成に加え、前記連結具本体は、前記足場側に固定された状態では、前記ロック部材に当接して同ロック部材の回動を規制するとともに、前記くさび部材を前記連結枠方向に移動させる第２のガイド部を備えていることを要旨とする。これによって、連結具を連結枠に固定する場合には、打ち込まれたくさび部材は連結具本体に形成されたガイド部に当接して連結枠方向に移動させられ、挿入片と協働して連結枠を挟み込む。この際に、連結具本体に形成された第２のガイド部がロック部材に当接してロック部材の回動を規制するとともに、くさび部材を前記連結枠方向に移動させることとなる。
【発明の効果】
【００１１】
上記請求項１の発明によって、くさび部材がしっかりと連結枠に密着して緩むことがなく固定されるとともに、くさび部材に回動可能に係合されたロック部材が、連結枠の一部に当接するようなロック部を備えたことによって、連結具が足場側に固定された状態から同くさび部材が抜けようとする力が加わった場合には、ロック部が連結枠の一部に当接しくさび部材の引き抜きを規制することとなる。これによって、ロック部材が抜け止めの役割を果たしていることとなり、くさび部材が簡単に抜けることがない。結果として、従来にも増して更なる安全性の向上、作業性の向上が図られることとなる。
請求項２の発明では、請求項１の発明の効果に加え、くさび部材は挿通孔から抜け落ちることなく且つ遊嵌されていることによって、連結具を固定するためのくさびとしても機能する。請求項３の発明では、請求項１又は２の発明の効果に加え、連結枠に挿入片を挿入して連結具を仮止めする際には、くさび部材を保持部にて保持させることが可能となるため作業性が向上する。
また、請求項４の発明では、請求項１〜３のいずれかの発明の効果に加え、足場から足場用筋交を取り外す場合にハンマー等で叩く際の叩きしろを十分にとることができるため作業性が向上する。
さらに、請求項５の発明では、請求項１〜４のいずれかの発明の構成に加え、足場から足場用筋交を取り外す場合に、ロック部材の回動基点が、ロック部材の重心の位置より連結枠側から離間した位置に配設されていることによって、くさび部材及びロック部材を連結枠から離間するように上方へ引き上げることができる。
また、請求項６の発明では、請求項１〜５のいずれかの発明の効果に加え、連結具を連結枠に固定する場合には、連結具本体に形成された当接部材がロック部材に当接してロック部材の回動を規制するとともに、くさび部材を前記連結枠方向に移動させることとなる。
【発明を実施するための最良の形態】
【００１２】
以下、本発明の足場用筋交の連結具を具体化した実施の形態を図面に基づいて説明する。
図１〜図６に示すように、連結具１０の連結具本体１１は鉤状に湾曲した２枚の同形状の板体１２より構成されている。一対の板体１２は所定の間隔を有して配置されている。両板体１２の基部には連結ピン１３が固着されている。
連結ピン１３は一枚の厚手の板体から構成されている。連結ピン１３の上端部には両板体１２方向（図２の右方）に若干突出した突出部１６が形成されている。連結ピン１３は両板体１２にて狭持されている。すなわち、連結ピン１３の肉厚がちょうど両板体１２の間隔に相当する。尚、図４に示すように上側に配置される連結具１０の連結ピン１３のほうが若干長く構成されている。
両板体１２は連結ピン１３とほぼ直交する方向に張り出された一対の湾曲部１７と、両湾曲部１７から下方側へ連結ピン１３の延出方向と略平行に張り出された一対の張出し部１８と、両張出し部１８の先端部が圧着され若干連結ピン１３方向へ湾曲して形成された第２のガイド部としての先端部１９とから構成されている。
両湾曲部１７の下方側基部寄りには一対の突起部２０が形成されている。特に、両突起部２０の基部から連結ピン１３と直交する方向に張り出した両湾曲部１７の下方側端部は正面視略半円形状に形成されており一対の湾曲部２１とされている。
両張出し部１８の上方中央寄りには支えピン２２が配設されている。図３に示すように、支えピン２２は両張出し部１８の面方向と直交する方向に両張出し部１８間を渡すように埋設されている。両張出し部１８の中央寄り連結ピン１３側の端部にはガイド部としてのガイドピン２３が配設されている。図３に示すように、ガイドピン２３は両張出し部１８の面方向と直交する方向に両張出し部１８間を渡すように埋設されているとともに、ガイドピン２３の一部を連結ピン１３側に露出した状態で埋設されている。
尚、両板体１２と連結ピン１３、両板体１２と支えピン２２及び両板体１２とガイドピン２３はガス溶接にて接合されているが、図上溶接のビードは省略されている。
【００１３】
前記両板体１２の湾曲部１７間に形成される挿通孔２４にはくさび片２５が遊嵌されている。くさび片２５は板状に形成されており、基部側には張出し部を有する頭部２６が形成されている。頭部２６はハンマー等でくさび片２５を打ち込む際の打点となるとともに、この頭部２６によって連結具本体１１から下方への脱落が防止されている。図２に示すように、くさび片２５の中央部の両張出し部１８側と面する側面には先端側へいくほど先細りとなるように傾斜面２７が形成されている。傾斜面２７の先端部から連結ピン１３方向へ直交するように屈曲して形成された側面は屈曲部２８とされており、屈曲部２８から先端へ連結ピン１３と略平行に延びた側面は側面２９とされている。側面２９の先端部から連結ピン側へくさび片２５が先細りとなるように傾斜した側面は先端傾斜面３０とされている。くさび片２５の連結ピン１３側の側面１３は先細りとはなっておらず、くさび片２５挿入状態においては連結ピン１３と略並行となっている。また、くさび片２５の先端部はくさび先端部３２とされている。くさび先端部３２の先端面は先端面３３とされている。
くさび片２５のくさび先端部３２にはロック部材３４が配設されている。ロック部材３４はロック部材本体３５と、ロック部材本体３５の基部側からくさび先端部３２を狭持するように上方側へ張り出した一対の張出し体３６とを有している。両張出し体３６の上側約半分は正面視略半円形状とされている。
【００１４】
両張出し体３６の中央部にはくさび先端部３２を貫通するようにスプリングピン３７が配設されている。スプリングピン３７は両張出し体３６、両板体１２及びくさび片２５の面方向と直交する方向に貫装されている。図２に示すように、ロック部材３４はスプリングピン３７を回動基点として、先端傾斜面３０と直交する方向（図の（ａ）線）から先端面３３と直交する方向（図の（ｂ）線）の範囲でくさび片２５に回動可能に係合されていることとなる。
特に図２において、この回動基点としてのスプリングピン３７の配設位置はロック部材３４の重心の位置より両板体１２の両張出し部１８寄りに（右方に）配設されている。また、ロック部材本体３５の左右の幅はくさび先端部３２の幅よりも大きくなっており、ロック部材本体３５は連結ピン１３側へ若干張り出されたロック部としての張出し部３８を備えている。さらにロック部材３４はくさび片２５よりも厚みがあることから、くさび片２５はロック部材３４によって連結具本体１１の挿通孔２４から抜き取ることができなくなっている。ロック部材３４の先端部は略角錐状をした先端部３９とされている。先端部３９はくさび片２５を上方側へ抜く時にハンマー等で打つ際の打点となる。尚、図２に示すように同先端部３９は連結具本体１１の先端部１９及び連結ピン１３の下端部よりも下方側へ突出した状態となるように構成されている。
このように構成された連結具１０は足場用筋交（以下、筋交という）４０の両端に固着される。筋交４０はパイプ材の両端をつぶして板状部４１を形成した棒状体である。図３に示すように、筋交４０に固着された連結具１０は同筋交４０の板状部４１が張出し部１８において両板体１２間に狭持される。尚、連結具１０と筋交４０とはガス溶接にて接合されているが、図上溶接のビードは省略されている。
【００１５】
このようにして構成された筋交４０は連結具１０によって足場の支柱４２に形成された連結枠４３に連結される。図４に示すように断面チャンネル状の連結枠４３がパイプ材より構成された足場の支柱４２の外周に形成されている。連結枠４３は支柱４２の外周面に突設された一対の側板４４と両側板４４間に懸架された前板４５とにより構成されている。一対の連結枠４３は１８０度対向する位置に配置されており、この一対の連結枠４３に対して上下方向にずれ、かつ９０度変異した位置に他の一対の連結枠４３が配置されている。すなわち四方に向いた連結枠４３が形成された連結ポイント４６が構成されている。このような連結ポイント４６が足場の支柱４２には所定間隔で配置されている。
【００１６】
次に、このような連結具１０を備えた足場用筋交４０を足場に取り付ける際の作用について説明する。図６に示すように、まずくさび片２５の屈曲部２８が支えピン２２上に載置された状態となるようにくさび片２５を斜め上方（図の右上方）に引き上げておく。この時、連結具本体１１に両突起部２０が形成されていることと、ロック部材３４の両張出し体３６の上側と両板体１２の湾曲部２１の形状がともに略半円形状であることとによって、両張出し体３６の上方側が両湾曲部２１に包まれるような状態となる。また、くさび片２５はスプリングピン３７を回動基点として回動し、図の右方向へ傾けた状態とされている。そして、連結具１０の連結ピン１３を連結枠４３に挿入する。この状態では連結具１０は連結枠４３に固定されておらず仮止め状態である。
次いで、くさび片２５を真直ぐ起こし挿通孔２４内を降ろすと同くさび片２５は自重で落下するとともに、傾斜面２７が連結ピン側に一部を露出したガイドピン２３に当接することと、ロック部材本体３５が両板体１２の先端部１９に当接しロック部材３４の回動を規制することとによって、連結枠４３方向に移動していく。そしてくさび片２５は図７の位置に配置される。この時、くさび片２５の側面３１は連結ピン１３の突出部１６と当接するとともに、連結枠４３の側板４４と当接した状態となる。
【００１７】
次いで、くさび片２５の頭部２６を上方からハンマー等で打ち込む。するとガイドピン２３と両板体１２の先端部１９からの反力がくさび片２５に加わる。そしてくさび片２５の側面３１と連結ピン１３の突出部１６との接触面Ｓ１及びくさび片１９の側面３１と連結枠４３の側板４４との接触面Ｓ２に反力に基づく押圧力が伝達される。ここで、ガイドピン２３とくさび片２５の傾斜面２７と、くさび片２５の側面３１及び連結枠４３の側板４４との接触面Ｓ２とは、反力及び押圧力が加わる位置が重複した位置関係となっている。このためくさび片２５を打ち込んでもガイドピン２３からの反力によってくさび片２５にモーメントが生じることがなく、ガイドピン２３からの反力を均等に連結枠４３に伝達されることとなる。その結果、くさび片２５がしっかりと側板４４（つまり連結枠４３）に密着して緩むことがない。
【００１８】
この密着した状態では、従来技術同様通常の作業において問題はないが、仮に強風や振動等の外的要因が足場に加わり足場が歪んでくさび片２５を上方側へ引き抜くような力が働いた場合には、くさび片２５は先細りとなるように形成されていることから、この上方へ引き抜くような力によって、押圧力により密着していたくさび片２５がガイドピン２３と連結枠４３の側板４４との接触面Ｓ２から徐々に離間し、くさび片２５が緩んだり抜けていくようなことも考えられる。
つまり図８の(i)に示すように、くさび片２５に対して同くさび片２５を上方側へ引き抜く力Ｆが働くとする。すると、図の仮想線で示すように、ロック部材本体３５の連結ピン１３側へ若干張り出された張出し部３８が、連結枠４３の下端部（図のＰの位置）に当接する（つまり引っ掛かる）。そして、図８の（ii）に示すように、張出し部３８が連結枠４３の下端部（図のＰの位置）に当接することによって、くさび片２５の上方への引き抜きを規制することから、くさび片２５が簡単に抜けることはない。したがって、ロック部材３４自体が抜け止めの役割を果たしていることとなる。
【００１９】
次に今とは逆に、足場から足場用筋交４０を取り外す場合には、図７に示すように、まずハンマー等でロック部材３４の先端部３９を叩きくさび片２５を上方側へ抜けるようにする。この時、同先端部３９は連結具本体１１の先端部１９及び連結ピン１３の下端部よりも下方側へ突出した状態となるように構成されているため、叩きしろを十分にとることができる。ロック部材３４だけではなく併せてくさび片２５の片２５の頭部２６の張り出し部分を下方から叩くことも可能である。
このようにして連結具１０が緩んだところで（くさび片２５と連結枠４３の側板４４との密着状態が解除された状態）と作業者はくさび片２５を持ち上げていく。
ロック部材３４の回動基点としてのスプリングピン３７の配設位置がロック部材３４の重心の位置より両板体１２の両張出し部１８寄りに（右方に）配設されていることによって、図７の仮想線で示す通り、ロック部材３４は先端部３９が連結ピン１３（つまり連結枠４３）から離間する方向へ傾くこととなり、通常の持ち上げ動作においては張出し部３８が連結枠４３に引っ掛かることはない。
そして、くさび片２５の屈曲部２８が支えピン２２上に載置された状態（図６の状態）となるようにした後、足場用筋交４０を持って連結ピン１３を連結枠４３から抜くようにする。
【００２０】
このように構成することで、上記実施の形態では次のような効果が奏される。
（１）くさび片２５を打ち込んだ状態では、くさび片２５の側面３１と連結ピン１３の突出部１６との接触面Ｓ１及びくさび片１９の側面３１と連結枠４３の側板４４との接触面Ｓ２に反力に基づく押圧力が伝達されるとともに、ロック部材本体３５が両板体１２の先端部１９に当接することによってロック部材３４の回動が規制される。さらに、ガイドピン２３とくさび片２５の傾斜面２７とくさび片２５の側面３１と接触面Ｓ２とは、反力及び押圧力加わる位置が重複した位置関係となっている。その結果、くさび片２５がしっかりと側板４４（つまり連結枠４３）に密着して緩むことがなく固定されることとなる。
（２）さらに、仮に強風や振動等によりくさび片２５を上方側へ引き抜くような力が働いたとしても、張出し部３８が連結枠４３の下端部（図のＰの位置）に当接することによって、くさび片２５の上方への引き抜きを規制することから、くさび片２５が簡単に抜けることはない。したがって、ロック部材３４自体が抜け止めの役割を果たしていることとなる。
（３）足場から足場用筋交４０を取り外す場合には、ロック部材３４の先端部３９は連結具本体１１の先端部１９及び連結ピン１３の下端部よりも下方側へ突出した状態となるように構成されているため、ハンマー等で叩く際の叩きしろを十分にとることができ作業効率が上がる。
（４）さらに、くさび片２５を抜く際には、ハンマー等で叩かれることによってロック部材３４の回動が付勢されるとともに、ロック部材３４の回動基点としてのスプリングピン３７の配設位置がロック部材３４の重心の位置より両板体１２の両張出し部１８寄りに配設されていることによって、ロック部材３４は先端部３９が連結ピン１３（つまり連結枠４３）から離間する方向へ傾くこととなり、張出し部３８が連結枠４３に引っ掛かることはない。したがって、くさび片２５及びロック部材３４を連結枠４３から離間するように上方へ引き上げることとなり、簡単に固定状態から解放することが可能となる。その結果、手間がかからず作業効率が上がる。
【００２１】
なお、この発明は前記実施の形態に限定されるものではなく、次のように変更して具体化することも可能である。
・連結具１０の各部材の材質は自由とする。ただし、くさび片２５はハンマー等で叩いても著しい塑性変形等しない材質が好ましい。また、連結具本体１１や連結ピン１３も連結枠４３にしっかりと固定される強度を具備していることが望ましい。
・連結具本体１１は一対の板体１２でなくてもよい。例えば、１枚の板体であっても打ち込んだくさび２５が脱落せず、かつガイドピン２３と先端部１９の代わりに連結部４３に固定するための部材があれば足りる。また、形態としても板体である必要はない。
・連結ピン１３も上記実施の形態に限らず、要は足場の連結部に連結できる態様であれば自由とする。ただし、連結ピン１３の突出部１６のようにくさび片の側面（上記実施の形態では側面３１）に当接するような態様が望ましい。
・連結具１０を足場の連結枠４３に取り付ける際のくさび片２５を保持する保持手段としては、上記実施の形態のようにくさび片２５の屈曲部２８が支えピン２２上に載置された状態となるようにする必要は無い。必ずしも屈曲部でなくてもよく例えばフック等によって掛止するようにしてもよい。
・上記実施の形態では、連結具１０を足場の連結枠４３に取り付け固定する際、
くさび片２５の傾斜面２７が両板体１２のガイドピン２３に当接し、ロック部材本体３５が両板体１２の先端部１９に当接する。そして、くさび片２５の側面３１は連結ピン１３の突出部１６と当接するとともに、連結枠４３の側板４４と当接した状態となるとしたが、要はくさび片２５がしっかりと固定されれていれば良く、くさび片２５の形状等は本発明の趣旨を逸脱しない態様であれば自由とする。
・ロック部材３４の材質は自由とする。ただし、ハンマー等で叩いても著しい塑性変形等しない材質が好ましい。
・ロック部材３４の形状は上記実施の形態に限らないが、強風や振動等によりくさび片２５を上方側へ引き抜くような力が働いた場合、張出し部３８のように連結枠４３に引っ掛かるような態様を備えていることが望ましい。
・スプリングピン３７は上記実施の形態に限らない。要は、ロック部材３４がくさび片２５に回動可能に係合されていれば良い。
・スプリングピン３７の配設位置は自由とするが、上記実施の形態のように、足場の連結枠４３から連結具１０を取り外す場合に、ハンマー等でロック部材３４を叩いてロック部材の回動を付勢するとともに、ロック部材３４の張出し部３８が連結枠４３に引っ掛かることがなく、くさび片２５及びロック部材３４を連結枠４３から離間するように上方へ引き上げることが可能な態様であることが望ましい。
・ロック部材３４の先端部３９の形状、大きさは自由とするが、上記実施の形態のように、同先端部３９は連結具本体１１の先端部１９及び連結ピン１３の下方側先端部よりも下方側へ突出した状態となるように構成され、ハンマー等で叩く際の叩きしろを十分にとることができる態様であることが望ましい。
・連結枠４３の形状も上記実施の形態に限られない。その他、材質も不問であり接合手段も自由とする。
・その他本発明の趣旨を逸脱しない態様で実施することは自由である。
【図面の簡単な説明】
【００２２】
【図１】本発明の実施の形態の連結具の斜視図。
【図２】本発明の実施の形態の連結具の正面図。
【図３】本発明の実施の形態の連結具の側面図。
【図４】本発明の実施の形態の連結具を足場用筋交に装着して足場に固定した状態を示す部分拡大正面図。
【図５】本発明の実施の形態の連結具を足場用筋交に装着して足場に固定した状態を示す平断面図。
【図６】本発明の実施の形態の連結具を足場用筋交に装着して足場の連結枠に仮止めした状態を示す概念正面図。
【図７】本発明の実施の形態の連結具を足場用筋交に装着して足場の連結枠に固定した状態を示すとともに、くさび部材を抜く際の状態を説明した概念正面図。
【図８】本発明の実施の形態の連結具を足場用筋交に装着して足場の連結枠に固定した状態において、強風や振動等によりくさび部材を引き抜くような力が働いた場合、ロック部材の作用を説明した要部拡大正面図。
【図９】建築足場に従来の連結具を取り付けた状態の概略斜視図。
【図１０】従来の連結具を足場用筋交に装着して足場の連結枠に仮止めした状態を示す概略正面図。
【図１１】従来の連結具を足場用筋交に装着して足場の連結枠に固定した状態を示す概略正面図。
【符号の説明】
【００２３】
１０…連結具、１１…連結具本体、１２…板体、１３・・・連結ピン、２２…支えピン、２３…ガイド部としてのガイドピン、２４・・・挿通孔、２５…くさび片、３４…ロック部材、３７…スプリングピン、３８…ロック部としての張り出し部、４０・・・足場用筋交、４２…支柱、４３…連結枠
【図１】
2005248506.tif 000003
【図２】
2005248506.tif 000004
【図３】
2005248506.tif 000005
【図４】
2005248506.tif 000006
【図５】
2005248506.tif 000007
【図６】
2005248506.tif 000008
【図７】
2005248506.tif 000009
【図８】
2005248506.tif 000010
【図９】
2005248506.tif 000011
【図１０】
2005248506.tif 000012
【図１１】
2005248506.tif 000013
【手続補正書】
【提出日】平成16年3月8日(2004.3.8)
【手続補正１】
【補正対象書類名】図面
【補正対象項目名】全図
【補正方法】変更
【補正の内容】
【図１】
2005248506.tif 000014
【図２】
2005248506.tif 000015
【図３】
2005248506.tif 000016
【図４】
2005248506.tif 000017
【図５】
2005248506.tif 000018
【図６】
2005248506.tif 000019
【図７】
2005248506.tif 000020
【図８】
2005248506.tif 000021
【図９】
2005248506.tif 000022
【図１０】
2005248506.tif 000023
【図１１】
2005248506.tif 000024